(57)【要約】【課題】  ホタルを飼育する観察ケースを提供することを課題とする。【解決手段】 本考案は、利用者にホタルの各成長段階における生活形態と及び変態の観察させるための透明ガラス或いは透明プラスチックからなる透明な容器外壁及び通気穴を具備し、この中にホタルの生長に要する養分、水分、遮蔽物、及び、飼育の培養基を入れることで、ホタルをこの中で生活させることができ、また本考案に携帯できるような部材を付けることで、「ホタルランタン」として使用することができ、極めて楽しめながらも勉強になる機能を具備する。【選択図】  図１
0003136630.tif 000002
【実用新案登録請求の範囲】
【請求項１】
透明な容器外壁、及び、少なくとも１個の通気穴を含み、その内部はホタルの生長に適した環境で、これにより、ホタルを入れる、及び、前記ホタルの生長に要する養分と水分を提供することで、ホタルがその内部で生活することができ、また観察者に前記透明な容器外壁を通じてホタルの各成長段階の生活形態と変態を観察させることができることを特徴とする、ホタルを飼育する観察ケース。
【請求項２】
請求項１記載の観察ケースにおいて、前記透明な容器外壁は、透明ガラス、或いは、透明プラスチックからなることを特徴とする、観察ケース。
【請求項３】
請求項１記載の観察ケースにおいて、前記通気穴は、観察ケース内の空気流通のために提供され、容器壁にある既設孔、メッシュの容器外壁、或いは、任意の空気流通の効果を具えた方法で呈現することを特徴とする、観察ケース。
【請求項４】
請求項１記載の観察ケースにおいて、前記ホタルの生長に適した環境には、飼育の培養基、遮蔽物、及び、湿潤環境を含むことを特徴とする、観察ケース。
【請求項５】
請求項４記載の観察ケースにおいて、前記飼育の培養基は、ホタルの生息に提供するための排水、保湿機能を具える無機土、有機土、或いは、人工培養基であることを特徴とする、観察ケース。
【請求項６】
請求項５記載の観察ケースにおいて、前記無機土は、土壌、砂、小石、或いは、自然界の岩石、または、鉱物の風化産物で、有機土が枯れ枝、枯れ葉、腐木、或いは、生物体の分解、または、腐植化の産物で、人工培養基が紙製品、プラスチック、発泡スチロール、或いは、昆虫養育用の人工パッド材であることを特徴とする、観察ケース。
【請求項７】
請求項４記載の観察ケースにおいて、前記遮蔽物は、ホタルが外部からの光を避けるために提供される植物、層板、カマクラ、または、任意の光を遮蔽する能力のある物体であることを特徴とする、観察ケース。
【請求項８】
請求項４記載の観察ケースにおいて、前記湿潤環境は、ホタルに要する水分を提供し、小水槽、或いは、湿潤の飼育培養基の方法で呈現することを特徴とする、観察ケース。
【請求項９】
請求項８記載の観察ケースにおいて、小水槽内の水質の安定性を維持するための浄水器、或いは、水処理剤を更に含むことを特徴とする、観察ケース。
【請求項１０】
請求項１記載の観察ケースにおいて、前記入れたホタルが卵、幼虫、蛹、または、成虫の成長段階のホタルであることを特徴とする、観察ケース。
【請求項１１】
請求項１記載の観察ケースにおいて、手持可能な部材を更に含むことを特徴とする、観察ケース。
【請求項１２】
請求項１記載の観察ケースにおいて、その外形は、任意のスタイルにできることを特徴とする、観察ケース。
【考案の詳細な説明】
【技術分野】
【０００１】
本考案は、ホタルの飼育に用いる観察ケースに関り、特に、透明な外壁を具備することで観察者にホタルの成育過程及び生態を観察させることができることにある。
【背景技術】
【０００２】
ホタルは光を発することができるため、子供たちが好きなだでなく、多くの大人もその虜となっている。これによりホタルを生物教材とするとことで、多くの人々の昆虫の養育に対する受容度が大幅にアップでき、また昆虫の一生を更に理解させることができる。しかしながら自身でホタルを飼育したい場合、現在市販されているものはホタルのために設計された観察ケースと言うには乏しく、やむを得ずホタルを一般的な水槽或いは昆虫ケース内において飼育しているが、これら水槽及び昆虫ケースの多くは体積が大きく重いため、定置場所に展示するしかなく、観賞者もその定所定位置で飼育している昆虫を観察するしかなく、気軽に当該飼育ケースを移設或いは携帯できない。その他にも、市販の飼育ケースの外形の多くは長方体或いは立体であるため、デザイン性に欠け、且つ面白みがない。
【０００３】
考案者は、現在市販されている水槽及び昆虫ケースの欠けているデザイン性と重いという設計を改善し、またホタルの発光特性を結びつけてホタルに適した飼育ケースを作製することで、多くの人々のホタルへの触れ合い及び飼育意欲を大幅に増進させた。
【考案の開示】
【考案が解決しようとする課題】
【０００４】
本考案は、ホタルを飼育する観察ケースを提供し、透明な容器外壁及び通気穴を具備し、この中にホタルの生長に要する養分、水分、遮蔽物、及び、飼育の培養基を入れることで、ホタルをこの中で生活させることができ、またその透明な容器外壁は、利用者にホタルの各成長段階における生活形態と及び変態の観察させるための透明ガラス或いは透明プラスチックからなることを特徴とする。
【課題を解決するための手段】
【０００５】
本観察ケースの容器外壁は、例えば透明ガラス或いは透明プラスチック等の材質のような、透光性素材からなる。その目的は利用者にホタルの生長過程を観察させることができる、及びホタルが発する光を容易に利用者に観察させることができるためにある。
【０００６】
本観察ケースにはホタルが、新鮮な空気が無いことにより生存できないことを避けるため、ケース内部の観察とケース外の空気流通用の通気穴を設けられている。前記通気穴は容器壁にある既設孔の方法で呈現、或いは容器外壁のいずれかの面、例えば観察ケース頂上部をメッシュで覆う等の方法のようなメッシュ構造に代替することができるが、前記通気穴の大さは、ケース内のホタルをケース外に這い出させないようにする。
【０００７】
本観察ケース内に入れた飼育の培養基が排水、保湿の機能を具備することで、ホタルの生息用として提供できる。若しくは観察ケース内で植物を栽培する場合、植物生長の培養基とすることもできる。前記飼育の培養基は、無機土、有機土或いは人工培養基からなることができる。前記の無機土とは例えば、土壌、砂或いは小石などといった自然界の岩石或いは鉱物の風化産物をいう。有機土とは、例えが枯れ枝、枯れ葉或いは腐木等といった生物体の分解或いは腐植化の産物をいう。また人工培養基とは、例えば紙製品、プラスチック、発泡スチロール或いは昆虫養育用の人工パッド材などをいう。
【０００８】
本観察ケース内に入れた遮蔽物は、ホタルが外部から光を避けるために提供され、これは光を発するホタルが光を避ける習性を考慮し、且つ前記遮蔽物もホタルの這い上がり、休憩用に提供され、これにより例えば苗木、層板、造型小屋、人工の模型等のような光の遮蔽機能を有する物体を本観察ケース内の遮蔽物とすることができる。
【０００９】
本観察ケースには、その内部に小水槽の設置、或いは散水を行うことで観察ケース内をホタルの生長に要する湿潤環境を維持させることができる。観察ケース内に小水槽を設置した場合、また浄水装置を別途追加設置或いは水処理剤を添加することで、水槽内の安定した水質を維持できる。
【００１０】
本観察ケースに取手を付けることで利用者が自由に観察ケースを移動させることができ、本観察ケースは、同時に観察ケースの運搬過程において、急激な揺れによりホタルの生息環境が破壊されて生存できなくなることを避けるため、ケース内の陳列を維持する機能を具備する。
【００１１】
本観察ケースは、ホタルの卵、幼虫、蛹、成虫の成長段階で必要な生長環境に提供できることにより利用者が比較的簡単な方法でホタルを飼育できると共にホタルの一生を実際に観察できる。
【００１２】
本観察ケースは、楽しみながらも勉強になる機能を具え、利用者がホタルの生活を実際に理解できる以外に、更に本観察ケース外形のデザインを小型で、美しく上品な各種異なるスタイルとすることができるため、芸術品としても展示でき、更に手に持つことのとのできる部材を組み合わせることで、「ホタルランタン」として持ち運ぶことができる。これにより、本ホタルを飼育する観察ケースは非常に独創性を具えた創作である。
【００１３】
以下の実施例に基づいて更に一歩進んで本考案を説明する。これらは本考案を説明すると共に本考案の特定実施例の各種長所を解明するためにだけ用いるものとし、本考案がこのような方法のみを呈することとして限定するものではない。
【００１４】
図１は本考案の構造図で、前記主体は、主に透明な容器外壁からなり、その上に空気を流通させる通気穴を具備する。本観察ケースの透明外壁は、透明ガラス、透明プラスチック或いは任意の透明物質から成ることができる。本観察ケースの通気穴は容器外壁にある既設孔であり、若しくはメッシュ構造で呈現する。本観察ケースは、利用者が観察ケース内の物品を入れるため、同時に可動式の引き戸或いは蓋を設ける、若しくは前記観察ケースの外壁を取り外した可能式として設計することができる。こうすることで、利用者が観察ケース内の陳列の整理、清潔の維持或いは餌を与える際、直接外壁を取り外すことで実施できる。本実施例において、飼育ケースの通気穴と可動式の蓋は一体化として設計している。この観察ケースの完成品の体積は、ほぼ一般的な手持ちランタンの大きさで、ケース重量は、一般の人が片手でも容易に持ち上げることができ、ケース体上に持ち上げるための取っ手を付けている。
【００１５】
図２は、本考案でホタルを飼育する際の見取図で、図内からも分かるとおり本観察ケースはホタルを収納することができる以外に、更にその内部に例えば小水槽、土壌及び苗木等といったホタルの生長に適した環境を構築することで、ホタルを本観察ケース内に生活させることができる。その他、本観察ケースを透明外壁として設計することにより、ホタルが発する光を容易に観察ケースの外へ出射でき、名実とも「ホタルランタン」となることができる。
【図面の簡単な説明】
【００１６】
【図１】本観察ケースの構造図である。
【図２】本観察ケースの実際に使用する際の見取図である。
【符号の説明】
【００１７】
１００  ホタル飼育ケース
１１０  透明容器外壁
１２０  取り外し可能な通気蓋
１３０  底座
１４０  取手
１５０  小水槽
１６０  飼育の培養基
１７０  苗木
１８０  ホタルの成虫
１９０  ホタルの幼虫
【図１】
0003136630.tif 000003
【図２】
0003136630.tif 000004